(57)【要約】 【課題】複数の記録層を有する光記録媒体における各記録層の初期化を初期化条件を安定させ且つ他の記録層への悪影響を及ぼすことなく安定に行うこと。【解決手段】リング状のレーザ光束２００を光記録媒体１０の記録層Ｌ０に対物レンズ４により集光して記録材料を初期化する。その場合、記録層Ｌ０にはリング状レーザ光束２００が全て斜めから入射されるため、記録層Ｌ１のからの反射光は分散されてしまうため、この反射光による初期化条件への悪影響はほとんどなくなる。また、同様に、リング状レーザ光束２００を記録層Ｌ１に集光して初期化する場合、リング状レーザ光束２００が記録層Ｌ０を通過するが、レーザ光束２００の外側と内側に熱が逃げるため、記録層Ｌ０が初期化温度に達せず、悪影響を被らなくなる。【選択図】図１
2005339712.tif 000002
【特許請求の範囲】
【請求項１】
信号を記録する記録層を複数有する光記録媒体の前記各記録層にレーザ光を照射することにより初期化する光記録媒体初期化方法であって、
前記レーザ光としてその横断面形状がリング状をしたレーザ光を用いることを特徴とする光記録媒体初期化方法。
【請求項２】
信号を記録する記録層を複数有する光記録媒体の前記各記録層にレーザ光を照射することにより初期化する光記録媒体初期化方法であって、
前記レーザ光の横断面形状が、４隅にレーザ光が分布し、これら４個の分布領域を十字状の非分布領域により分割した形状のレーザ光を用いることを特徴とする光記録媒体初期化方法。
【請求項３】
前記光記録媒体の初期化は、光記録媒体の製造工程における成膜後の各記録層を形成する相変化材料を結晶状態にすることであることを特徴とする請求項１又は２記載の光記録媒体初期化方法。
【請求項４】
信号を記録する記録層を複数有する光記録媒体の前記各記録層にレーザ光を照射することにより初期化する光記録媒体初期化装置であって、
レーザ光を出射するレーザ光源と、
前記出射されたレーザ光をその横断面形状をリング状とする光学系と、
を具備し、
前記リング状をしたレーザ光を前記各記録層に照射することを特徴とする光記録媒体初期化装置。
【請求項５】
信号を記録する記録層を複数有する光記録媒体の前記各記録層にレーザ光を照射することにより初期化する光記録媒体初期化装置であって、
レーザ光を出射するレーザ光源と、
前記出射されたレーザ光の横断面形状が、４隅にレーザ光が分布し、これら４個のレーザ光分布領域を十字状の非分布領域により分割した形状となるようにする光学系と、
を具備し、
前記リング状をしたレーザ光を前記各記録層に照射することを特徴とする光記録媒体初期化装置。
【請求項６】
前記光記録媒体は、基板上に記録層を中間層を介して複数個積層し且つ、最上部に位置する記録層を覆うカバー層を有することを特徴とする請求項４又は５記載の光記録媒体初期化装置。
【請求項７】
前記光記録媒体は、基板上に記録層を中間層を介して複数個積層し且つ、最上部に位置する記録層はその上面を露出していることを特徴とする請求項４又は５記載の光記録媒体初期化装置。
【発明の詳細な説明】
【技術分野】
【０００１】
本発明は光学的にデータを記録再生する光記録媒体に係り、特に、記録層を複数有する光記録媒体の初期化方法及び初期化装置に関する。
【背景技術】
【０００２】
光学式の記録媒体は、記録材料が配置されている位置に光を集光させることにより光記録媒体への信号記録を行い、また記録材料に信号が記録されている位置に光を集光し、その反射光を検出することにより、記録された信号を再生する方法が一般的である。そしてこの原理は、例えば市販されているＤＶＤのように、１枚の光記録媒体に複数の記録面を配置することができるという特徴を有している。
【０００３】
そして、高密度化に関する光記録媒体の近年の技術開発により、記録再生を行うレーザ光を光記録媒体の記録材料部分に集光する光学レンズのレンズ開口数（ＮＡ）は、上昇する傾向にあり、ＮＡ０．８５の光記録システムが実用化されつつある趨勢であり、ＮＡが１を超える光記録再生システムの研究開発も行われるようになってきた。そして、これらの光記録再生システムにおいても、記録層を複数とした光記録媒体の開発がなされている。
【０００４】
ＤＶＤの光記録媒体の光学パラメータは、ＮＡ０．６であり、ＮＡ０．６の集光レンズにより集光された赤色レーザ光は、０．６ｍｍの厚さの基板（カバー）を介して、光記録媒体に集光される構成であり、光記録媒体の総厚は１．２ｍｍである。近年開発が行われている光記録再生システムの高ＮＡ化および記録再生に用いる光の短波長化は、光記録媒体の記録密度を高めるが、光学的な収差に関するマージンを低下させるために、カバーを薄くすることによりシステムとしてのマージンを確保する手法を用いていると共に、光学的な収差に関するマージンの低下は記録層の数を複数とする際において、記録層の間隔を離すことを難しくしている。
【特許文献１】特許第３０７６０８３号  （第３−５頁、第１−２図）
【発明の開示】
【発明が解決しようとする課題】
【０００５】
しかしながら、従来の光記録媒体に相変化記録材料を用い、記録層の数が複数の場合の光記録媒体を製造する過程で、初期化工程（例えば特許文献１参照）をどのように行うかが技術的な問題となっている。すなわち、光記録再生システムの高ＮＡ化および光源の短波長化は、記録層の間隔を近接させなければならないので、図８に示すように光記録媒体の形状が完成した後（成膜後）の状態（基板に複数の記録層が形成され、カバーも形成された状態）で、各記録層の記録材料（相変化材料）を結晶状態にする初期化工程では、以下に述べるような不具合が生じる。
【０００６】
図８において、レーザ光（横断面が円形）１００を対物レンズ１４により光記録媒体３０の記録層Ｌ０に集光してこの記録層の記録材料の初期化を行う際に、他の記録層Ｌ１からの反射光が初期化を行おうとしている記録層Ｌ０の初期化条件に悪影響を与えてしまう。また、記録層Ｌ１を初期化する場合はレーザ光１００が記録層Ｌ０を通過する際に熱的影響を与え、安定な初期化が難しくなるという問題がある。
【０００７】
本発明は前記事情に鑑み案出されたものであって、本発明の目的は、複数の記録層を有する光記録媒体における各記録層の初期化を初期化条件を安定させ且つ他の記録層への悪影響を及ぼすことなく行うことができる光記録媒体初期化方法及び光記録媒体初期化装置を提供することにある。
【課題を解決するための手段】
【０００８】
本発明は上記目的を達成するため、信号を記録する記録層を複数有する光記録媒体の前記各記録層にレーザ光を照射することにより初期化する光記録媒体初期化方法であって、前記レーザ光としてその横断面形状がリング状をしたレーザ光を用いることを特徴とする。
【０００９】
また、本発明は、信号を記録する記録層を複数有する光記録媒体の前記各記録層にレーザ光を照射することにより初期化する光記録媒体初期化方法であって、前記レーザ光の横断面形状が、４隅にレーザ光が分布し、これら４個の分布領域を十字状の非分布領域により分割した形状のレーザ光を用いることを特徴とする。
【００１０】
このように本発明では、光記録媒体を初期化するレーザ光の形状を例えばリング状とすることにより、目標の記録層へレーザ光を全て斜めに入射させて、隣接する他の記録層からの反射光を分散し、この反射光による初期化条件への悪影響をほとんど無くことができる。また、レーザ光が通過する他の記録層での熱の拡散方向をレーザ光をリング状とすることにより多くして、初期化温度まで上昇しないようにすることができる。それ故、複数の記録層を有する光記録媒体における各記録層の初期化を初期化条件を安定させ且つ他の記録層への悪影響を及ぼすことなく行うことができる。
【発明の効果】
【００１１】
本発明によれば、光記録媒体を初期化するレーザ光の形状を例えばリング状とすることにより、複数の記録層を有する光記録媒体における各記録層の初期化を初期化条件を安定させ且つ他の記録層への悪影響を及ぼすことなく行うことができる。
【発明を実施するための最良の形態】
【００１２】
複数の記録層を有する光記録媒体における各記録層の初期化を初期化条件を安定させ且つ他の記録層への悪影響を及ぼすことなく行う目的を、光記録媒体を初期化するレーザ光の形状を例えばリング状とすることによって容易に実現した。
【実施例１】
【００１３】
図１は、本発明の第１の実施の形態に係る光記録媒体初期化方法を説明する図である。初期化対象の光記録媒体１０は、基板１上に、記録層Ｌ１、中間層２、記録層Ｌ０、カバー層３が積層されて構成され、２層の記録層Ｌ０，Ｌ１を有している。この光記録媒体１０に例えば半導体レーザ装置（図示せず）より出射された８０９ｎｍ波長のリング状のレーザ光束２００を対物レンズ４により、製造工程における表面に近い側の記録層Ｌ０に集光して、この記録層Ｌ０の記録材料を初期化する。この記録材料は相変化材料で初期化されることにより結晶化する。
【００１４】
図２は、初期化装置内においてリング状のビームを生成するための光学系を示した図である。リング状のビーム生成光学系は、横断面が図示の形状の一対のレンズ３１、３２により構成され、半導体レーザ装置（図示せず）から出射した円形のレーザ光束１００は一対のレンズ３１、３２を通ることにより、リング状のレーザ光束２００になる。これにより、初期化装置におけるレーザパワーを低減することなく初期化を行う記録層に対して照射することができるようになり、初期化を行うレーザ光束の形状をリング状としても記録メディアに投入されるレーザパワーの損失を生じさせない、したがって、初期化装置における初期化効率（タクトタイムなど）を低下させない。
【００１５】
上記のようにリング状のレーザ光束２００を表面に近い側の記録層Ｌ０に集光して記録層Ｌ０の記録材料を初期化する場合は、記録層Ｌ０に集光したレーザ光の記録層Ｌ１からの反射光による干渉で、初期化条件に悪影響が出て安定に初期化ができなくなることであるが、これについては以下に述べる理由により解消されている。
【００１６】
すなわち、図３（Ａ）に示すようにレーザ光束をリング状にした場合、図３（Ｂ）に示すように円形のレーザ光を集光した場合に比較して、記録層Ｌ０にレーザ光束２００が全て斜めに入射するため（記録層Ｌ０に垂直に入射する光は光束の中心に近い領域にあるため）、記録層Ｌ１からの反射光も斜めになって分散し、レーザ光束２００との干渉が起きにくくなる。
【００１７】
図４は光記録媒体１０の製造工程における表面から遠い側の記録層Ｌ１の初期化工程を説明する図である。リング状のレーザ光束２００が対物レンズ４により記録層Ｌ１に集光されて、記録層Ｌ１の記録材料が初期化される。この際、リング状のレーザ光束２００が記録層Ｌ０を通過するが、通過する光束がリング状であるため、リングの外側及びリングの内側の両方向に熱を逃すことができ、円形光束のレーザ光が通過する場合に比べて記録層Ｌ０の温度が上がり難く、初期化に必要な温度に達しない。したがって、記録層Ｌ１を初期化する際に記録層Ｌ０に熱的影響を与えることがなくなり、記録層Ｌ０の初期化に悪影響を与えることを防止することができる。
【００１８】
本実施の形態によれば、リング状にしたレーザ光束２００を用いて２層の光記録媒体１０の各記録層Ｌ０，Ｌ１を初期化することにより、記録層Ｌ０の初期化条件を安定化させて仕様通りに行うことができ、また、記録層Ｌ１の初期化を他の記録層Ｌ０への悪影響を及ぼすことなく安定に行うことができる。
【実施例２】
【００１９】
図５は、本発明の第２の実施の形態に係る光記録媒体初期化方法を説明する図である。本実施の形態は、カバー層が形成されていない、複数の記録層を有する近接場光記録用の光記録媒体の初期化に、リング状にしたレーザ光束２００を用いる場合を示したものである。但し、図１に示した第１の実施の形態と同様の部分には同一符号を付して説明する。
【００２０】
初期化対象の光記録媒体２０は、基板１に、記録層Ｌ１、中間層２、記録層Ｌ０が積層されて構成され、２層の記録層Ｌ０，Ｌ１を有し、カバー層がない以外は第１の実施の形態と同様の構成である。この場合も、８０９ｎｍ波長のリング状のレーザ光束２００を対物レンズ５により、製造工程における表面に近い側の記録層Ｌ０に集光して、この記録層Ｌ０の記録材料を初期化する。
【００２１】
図６は光記録媒体２０の製造工程における表面から遠い側の記録層Ｌ１の初期化工程を説明する図である。リング状のレーザ光束２００が対物レンズ５により記録層Ｌ１に集光されて、記録層Ｌ１の記録材料が初期化される。
【００２２】
近接場光記録においては、光学系（対物レンズ５）のＮＡが高いため、２層の記録層Ｌ０，Ｌ１間の間隔（中間層２の厚さ）を厚くすることが容易でないので、リング状のレーザ光束２００を用いない従来の初期化方法では、中間層２の膜厚斑或いは、記録層Ｌ０，Ｌ１の膜厚斑による反射率の違いなどによって一方の記録層の記録材料の初期化を行う際に、他の記録層からの光学的な悪影響を生じる危険性が第１の実施の形態のそれよりも高くなる。しかし、本実施の形態では記録層Ｌ０にレーザ光束２００が全て斜めから入射するため、第１の実施の形態と同様の理由で、他の記録層Ｌ１からの反射光との干渉による初期条件への悪影響を著しく軽減することができる。
【００２３】
本実施の形態も、光記録媒体２０の各層Ｌ０，Ｌ１の初期化にリング状のレーザ光束２００を用いることにより第１の実施の形態と同様の効果があるが、特に記録層Ｌ０を初期化する際に、他の記録層Ｌ１からの反射光による光学的な悪影響を著しく軽減してその初期化条件を安定させて初期化することができる。
【００２４】
尚、本発明は上記実施の形態に限定されることなく、その要旨を逸脱しない範囲において、具体的な構成、機能、作用、効果において、他の種々の形態によっても実施することができる。例えば上記実施の形態ではリング状のレーザ光束２００を２層の光記録媒体に適用したが、３層以上の記録層を持つ光記録媒体にも同様に適用して同様の効果がある。
【００２５】
また、上記のような効果をもたらすレーザ光束の形状はリング状とは限らず、図７に示すような４隅にレーザ光が分布し、これら４個のレーザ光分布領域は十字状の非分布領域により分割された形状を有するものでも良く、要するレーザ光束の分布が一様でなく、レーザ光束が分布していない領域があり、記録層に照射した時に熱が放散する方向が多数できるような形状であれば、いちいち例示しないが、同様の効果が得られる形状は上記２例の他にも存在する。
【図面の簡単な説明】
【００２６】
【図１】本発明の第１の実施の形態に係る光記録媒体初期化方法を説明する図である。
【図２】図１に示した初期化装置内においてリング状のビームを生成するための光学系を示した図である。
【図３】図１で示したリング状のビームの特性を説明する図である。
【図４】第１の実施形態の光記録媒体初期化方法により他の記録層を初期化する方法を説明する図である。
【図５】本発明の第２の実施の形態に係る光記録媒体初期化方法を説明する図である。
【図６】第２の実施形態の光記録媒体初期化方法により他の記録層を初期化する方法を説明する図である。
【図７】光記録媒体を初期化するレーザ光の他の形状を示した図である。
【図８】従来の光記録媒体初期化方法を説明する図である。
【符号の説明】
【００２７】
１……基板、２……中間層、３……カバー層、４、５……対物レンズ、１０、２０……光記録媒体、３１、３２……レンズ、Ｌ０，Ｌ１……記録層。
【図１】
2005339712.tif 000003
【図２】
2005339712.tif 000004
【図３】
2005339712.tif 000005
【図４】
2005339712.tif 000006
【図５】
2005339712.tif 000007
【図６】
2005339712.tif 000008
【図７】
2005339712.tif 000009
【図８】
2005339712.tif 000010